(57)【特許請求の範囲】
【請求項１】
カラオケの楽曲を選択するときに用いられる第１の画面を表す第１の画像データを記憶し、本体装置の各機種を表す機種情報と、当該機種に合わせて作成された第２の画面を表す第２の画像データとを対応付けて記憶する記憶部と、
電源部を有する操作装置と、
前記本体装置と、
前記本体装置に設けられ、前記操作装置を着脱可能に支持する装着部と、
前記操作装置が前記装着部に装着されたことを検出する検出部とを備え、
前記本体装置は、
前記電源部を充電する充電部を備え、
前記操作装置は、
画像を表示する表示部と、
前記本体装置の機種を表す機種情報を当該本体装置から取得する取得部と、
前記記憶部に記憶された第２の画像データの中から、前記取得部により取得された機種情報と対応付けて記憶された第２の画像データを選択する選択部と、
予め決められた操作が行われた場合には、前記記憶部に記憶された前記第１の画像データに基づく第１の画面を前記表示部に表示させ、前記検出部により前記操作装置が前記装着部に装着されたことが検出された場合には、前記選択部により選択された第２の画像データに基づく第２の画面を前記表示部に表示させる表示制御部と、
前記表示部に表示された前記第１の画面に基づくカラオケの楽曲を選択する第１の操作、又は前記第２の画面に基づく第２の操作を受け付ける受付部と、
前記受付部により受け付けられた前記第１の操作を表す第１の操作情報又は前記第２の操作を表す第２の操作情報を前記本体装置に送信する第１の送信部とを備え、
前記本体装置は、
前記第１の送信部により前記第１の操作情報が送信された場合には、当該第１の操作情報が表す第１の操作により選択されたカラオケの楽曲を出力部から出力させる処理を行い、前記第１の送信部により前記第２の操作情報が送信された場合には、当該第２の操作情報が表す第２の操作に応じた処理を行う処理部を備える
ことを特徴とするカラオケ装置。
【請求項２】
前記検出部は、前記操作装置が前記装着部から取り外されたことを検出し、
前記表示制御部は、前記操作装置が前記装着部から取り外され、前記検出部により当該取り外されたことが検出された場合には、前記第１の画面を前記表示部に表示させる
ことを特徴とする請求項１に記載のカラオケ装置。
【請求項３】
前記操作装置は、
予め決められた要求を受信すると、前記検出部により前記操作装置が前記装着部に装着されたことが検出されている場合には、当該操作装置を識別する識別情報を前記本体装置に送信する第３の送信部を備え、
前記本体装置は、
前記予め決められた要求を前記操作装置に送信する第２の送信部と、
前記第３の送信部により送信された識別情報により識別される操作装置との通信を許可する許可部とを備える
ことを特徴とする請求項１又は２に記載のカラオケ装置。
【発明の詳細な説明】
【技術分野】
【０００１】
本発明は、カラオケ装置を操作する技術に関する。
【背景技術】
【０００２】
カラオケの楽曲を選択するときに用いられるリモコン装置が知られている。例えば、特許文献１及び２には、カラオケ装置を遠隔操作する装置が記載されている。
【先行技術文献】
【特許文献】
【０００３】
【特許文献１】特開２００６−９８７４８号公報
【特許文献２】特開２００６−２５１１１５号公報
【発明の概要】
【発明が解決しようとする課題】
【０００４】
特許文献１及び２に記載された装置のように、カラオケ装置を操作する装置には、タッチパネルを有するものがある。また、カラオケ装置本体にも、タッチパネルを採用したものがある。カラオケ装置本体とそれを操作する装置との両方にタッチパネルが設けられていると、製造の手間やコストがかかる。
本発明は、カラオケ装置の本体装置に表示部や受付部が設けられていない場合にも、本体装置に対応する第２の画面に基づく操作を可能にすることを目的とする。
【課題を解決するための手段】
【０００５】
本発明は、カラオケの楽曲を選択するときに用いられる第１の画面を表す第１の画像データを記憶し、本体装置の各機種を表す機種情報と、当該機種に合わせて作成された第２の画面を表す第２の画像データとを対応付けて記憶する記憶部と、電源部を有する操作装置と、前記本体装置と、前記本体装置に設けられ、前記操作装置を着脱可能に支持する装着部と、前記操作装置が前記装着部に装着されたことを検出する検出部とを備え、前記本体装置は、前記電源部を充電する充電部を備え、前記操作装置は、画像を表示する表示部と、前記本体装置の機種を表す機種情報を当該本体装置から取得する取得部と、前記記憶部に記憶された第２の画像データの中から、前記取得部により取得された機種情報と対応付けて記憶された第２の画像データを選択する選択部と、予め決められた操作が行われた場合には、前記記憶部に記憶された前記第１の画像データに基づく第１の画面を前記表示部に表示させ、前記検出部により前記操作装置が前記装着部に装着されたことが検出された場合には、前記選択部により選択された第２の画像データに基づく第２の画面を前記表示部に表示させる表示制御部と、前記表示部に表示された前記第１の画面に基づくカラオケの楽曲を選択する第１の操作、又は前記第２の画面に基づく第２の操作を受け付ける受付部と、前記受付部により受け付けられた前記第１の操作を表す第１の操作情報又は前記第２の操作を表す第２の操作情報を前記本体装置に送信する第１の送信部とを備え、前記本体装置は、前記第１の送信部により前記第１の操作情報が送信された場合には、当該第１の操作情報が表す第１の操作により選択されたカラオケの楽曲を出力部から出力させる処理を行い、前記第１の送信部により前記第２の操作情報が送信された場合には、当該第２の操作情報が表す第２の操作に応じた処理を行う処理部を備えることを特徴とするカラオケ装置を提供する。
【０００６】
別の好ましい態様において、前記検出部は、前記操作装置が前記装着部から取り外されたことを検出し、前記表示制御部は、前記操作装置が前記操作部から取り外され、前記検出部により当該取り外されたことが検出された場合には、前記第１の画面を前記表示部に表示させることを特徴とする。
【０００７】
別の好ましい態様において、前記操作装置は、予め決められた要求を受信すると、前記検出部により前記操作装置が前記装着部に装着されたことが検出されている場合には、当該操作装置を識別する識別情報を前記本体装置に送信する第３の送信部を備え、前記本体装置は、前記予め決められた要求を前記操作装置に送信する第２の送信部と、前記第３の送信部により送信された識別情報により識別される操作装置との通信を許可する許可部とを備えることを特徴とする。
【発明の効果】
【０００８】
本発明によれば、カラオケ装置の本体装置に表示部や受付部が設けられていない場合にも、本体装置に対応する第２の画面に基づく操作を行うことができる。
【図面の簡単な説明】
【０００９】
【図１】カラオケ装置の構成を示す図
【図２】本体装置の前面の構成を示す図
【図３】本体装置の構成を示す図
【図４】操作装置の構成を示す図
【図５】選曲画面の一例を示す図
【図６】本体画面の一例を示す図
【図７】カラオケ装置の機能構成を示す図
【図８】ペアリング処理を示すシーケンス図
【図９】画面表示動作を示すフローチャート
【図１０】メンテナンス画像の一例を示す図
【発明を実施するための形態】
【００１０】
図１は、本実施形態に係るカラオケ装置１の構成を示す図である。カラオケ装置１は、本体装置１０と、操作装置２０とを備える。図２は、本体装置１０の前面の構成を示す図である。本体装置１０の前面には、クレイドル３０が設けられている。クレイドル３０（装着部の一例）は、操作装置２０を着脱可能に支持する。例えば、操作装置２０は、カラオケが行われていないときや充電をするときは、クレイドル３０に装着される。クレイドル３０には、第１のコネクタ３１が設けられている。操作装置２０には、第１のコネクタ３１と接続される第２のコネクタ２８が設けられている。操作装置２０がクレイドル３０に装着されるとき、第１のコネクタ３１は第２のコネクタ２８に差し込まれる。これにより、第１のコネクタ３１と第２のコネクタ２８とが電気的に接続される。操作装置２０がクレイドル３０に装着されると、この第１のコネクタ３１及び第２のコネクタ２８を介して、充電やデータの転送が行われる。
【００１１】
図３は、本体装置１０の構成を示す図である。本体装置１０は、制御部１１と、通信部１２と、無線通信部１３と、記憶部１４と、音源部１５と、マイクロフォン１６と、音声処理部１７と、スピーカ１８と、充電部１９と、上述したクレイドル３０とを備える。制御部１１は、ＣＰＵ（Central Processing Unit）とメモリとを備える。ＣＰＵは、メモリに記憶されたプログラムを実行することにより、本体装置１０の各部を制御する。通信部１２は、クレイドル３０に装着された操作装置２０と第１のコネクタ３１と第２のコネクタ２８を介して通信を行う。無線通信部１３は、例えば赤外線を利用して、操作装置２０と無線通信を行う。
【００１２】
記憶部１４は、例えばハードディスクを備え、複数のカラオケの楽曲を表す楽曲データ４１を記憶する。この楽曲データ４１は、例えばＭＩＤＩ（Musical Instrument Digital Interface）形式で作成されている。音源部１５は、楽曲データ４１を再生して電気信号を生成する。マイクロフォン１６は、入力された音を電気信号に変換して音声処理部１７に供給する。音声処理部１７は、ＤＳＰ（Digital Signal Processor）、ミキサー及びアンプを備える。ＤＳＰは、音源部１５により生成された電気信号に信号処理を施して、エコー等の音響効果を付与する。ミキサーは、マイクロフォン１６から供給された電気信号とＤＳＰにより音響効果が付与された電気信号とをミキシングする。アンプは、ミキサーによりミキシングされた電気信号を増幅してスピーカ１８に供給する。スピーカ１８（出力部の一例）は、音声処理部１７から供給された電気信号を音に変換して出力する。充電部１９は、操作装置２０がクレイドル３０に装着されると、後述する操作装置２０の電源部２７を充電する。
【００１３】
図４は、操作装置２０の構成を示す図である。操作装置２０は、制御部２１と、通信部２２と、無線通信部２３と、記憶部２４と、表示操作部２５と、検出部２６と、電源部２７とを備える。制御部２１は、ＣＰＵとメモリを備える。ＣＰＵは、メモリに記憶されたプログラムを実行することにより、操作装置２０の各部を制御する。通信部２２は、操作装置２０がクレイドル３０に装着されている間、第１のコネクタ３１と第２のコネクタ２８を介して本体装置１０と通信を行う。無線通信部２３は、例えば赤外線を利用して、本体装置１０と無線通信を行う。記憶部２４は、例えばフラッシュメモリを備え、選曲画像データ４２（第１の画像データの一例）と本体画像データ４３（第２の画像データの一例）とを記憶する。
【００１４】
選曲画像データ４２は、楽曲の選択に用いられる選曲画面５０（第１の画面の一例）を表す。図５は、選曲画面５０の一例を示す図である。選曲画面５０ａは、利用者が操作装置２０を用いてカラオケの楽曲を選択するときに最初に表示されるメニューである。この選曲画面５０ａには、「歌手名別」、「曲目別」、「ジャンル名別」、「発表年別」の４つの項目が設けられている。利用者は、この４つの項目からいずれかを選択して、自分が歌う楽曲を検索する。選曲画面５０ｂは、選曲画面５０ａにおいて「歌手名別」の項目が選択された場合に表示されるリストである。この選曲画面５０ｂには、歌手名がその頭文字ごとに分類されて配列されている。選曲画面５０ｂでは、５０音の各行にそれぞれ対応する複数のウィンドウが重畳されて表示されている。各ウィンドウの上部には、そのウィンドウを選択するためのタブが設けられている。このタブには、五十音の各行を表す文字「あ」「か」「さ」「た」「な」「は」が記述されている。なお、「次頁」と記述されたタブが選択されると、「ま」「や」「ら」「わ」の各文字を記述したタブを有するウィンドウが表示される。この選曲画面５０ｂにおいては、五十音の各行のうち「あ」行の頭文字を有する歌手名がウィンドウ内の上下方向に配列されている。なお、これらの歌手名のリストがウィンドウ内の上下方向に入りきらない場合には、ウィンドウの右端にあるスクロールバーを移動させると、上下のリストを表示させることができる。また、「ローマ字」と記述されたボタンの位置にユーザーが触れると、歌手名の頭文字を用いた分類が五十音別からローマ字別に切り替わるようになっている。選曲画面５０ｃは、選曲画面５０ｂにおいて歌手名「あ○△」の項目が選択された場合に表示されるリストである。この選曲画面５０ｃには、「あ○△」という歌手が発表した楽曲の曲名がウィンドウ内の上下方向に配列されている。なお、これら曲名のリストがウィンドウ内の上下方向に入りきらない場合には、ウィンドウの右端にあるスクロールバーを移動させると、上下のリストを表示させることができる。
【００１５】
本体画像データ４３は、本体装置１０の各機種に合わせて作成された本体画面６０（第２の画面の一例）を表す。記憶部１４は、本体装置１０の各機種を表す機種情報と、この機種に合わせて作成された本体画面６０を表す本体画像データ４３とを対応付けて記憶する。図６は、この本体画面６０の一例を示す図である。本体画面６０ａは、機種「Ａ００１」用に作成された本体画面６０である。この本体画面６０ａは、機種「Ａ００１」の本体装置１０に合わせたデザインを有する。例えば、本体画面６０ａには、機種「Ａ００１」の本体装置１０の色に合わせて赤を基調とした色が用いられている。本体画面６０ａには、マイクロフォン１６の音量を調整するときに用いられる操作ボタン６１ａと、楽曲の音量を調整するときに用いられる操作ボタン６２ａとが設けられている。本体画面６０ｂは、機種「Ａ００２」用に作成された本体画面６０である。この本体画面６０ｂは、機種「Ａ００２」の本体装置１０に合わせたデザインを有する。例えば、本体画面６０ｂには、機種「Ａ００２」の本体装置１０の色に合わせて青を基調とした色が用いられている。また、本体画面６０ｂには、マイクロフォン１６の音量を調整するときに用いられる操作ボタン６１ｂと、楽曲の音量を調整するときに用いられる操作ボタン６２ｂとが設けられている。
【００１６】
表示操作部２５は、液晶ディスプレイとタッチパネルとを備える。液晶ディスプレイは、選曲画面５０又は本体画面６０を表示する。タッチパネルは、選曲画面５０又は本体画面６０上で行われた操作を受け付ける。検出部２６は、操作装置２０がクレイドル３０に装着されると、操作装置２０がクレイドル３０に装着されたことを検出する。また、検出部２６は、操作装置２０がクレイドル３０から取り外されると、操作装置２０がクレイドル３０から取り外されたことを検出する。例えば、検出部２６は、スイッチを利用して操作装置２０の装着又は取り外しを検出する。このスイッチは、例えば操作装置２０がクレイドル３０に装着されると、クレイドル３０と接触してオンになり、操作装置２０がクレイドル３０から取り外されると、オフになる。
【００１７】
電源部２７は、例えば充電式の電池を備え、操作装置２０の各部に電力を供給する。電源部２７は、操作装置２０がクレイドル３０に装着されている間、充電部１９により充電される。より詳細には、検出部２６により操作装置２０がクレイドル３０に装着されたことが検出されると、制御部２１は、検出信号を通信部２２により本体装置１０に送信する。本体装置１０の制御部１１は、この検出信号を通信部１２により受信する。検出信号が受信されると、充電部１９は、クレイドル３０を介して電源部２７の充電を開始する。
【００１８】
図７は、カラオケ装置１の機能構成を示す図である。取得部２０１、選択部２０２、表示制御部２０３、第１の送信部２０６及び第３の送信部２０７は、操作装置２０の制御部２１により実現される。表示部２０４及び受付部２０５は、操作装置２０の表示操作部２５により実現される。処理部１０１、第２の送信部１０２及び許可部１０３は、本体装置１０の制御部１１により実現される。
【００１９】
取得部２０１は、本体装置１０の機種を表す機種情報を本体装置１０から取得する。選択部２０２は、記憶部２４に記憶された本体画像データ４３の中から、取得部２０１により取得された機種情報と対応付けて記憶された本体画像データ４３を選択する。表示部２０４は、画像を表示する。表示制御部２０３は、予め決められた操作が行われた場合には、記憶部２４に記憶された選曲画像データ４２に基づく選曲画面５０を表示部２０４に表示させ、検出部２６により操作装置２０がクレイドル３０に装着されたことが検出された場合には、選択部２０２により選択された本体画像データ４３に基づく本体画面６０を表示部２０４に表示させる。
【００２０】
受付部２０５は、表示部２０４に表示された選曲画面５０に基づくカラオケの楽曲を選択する第１の操作、又は本体画面６０に基づく第２の操作を受け付ける。第１の送信部２０６は、受付部２０５により受け付けられた第１の操作を表す第１の操作情報又は第２の操作を表す第２の操作情報を本体装置１０に送信する。処理部１０１は、第１の送信部２０６により第１の操作情報が送信された場合には、この第１の操作情報が表す第１の操作により選択されたカラオケの楽曲をスピーカ１８から出力させる処理を行い、第１の送信部２０６により第２の操作情報が送信された場合には、この第２の操作情報が表す第２の操作に応じた処理を行う。
【００２１】
第２の送信部１０２は、予め決められた要求を操作装置２０に送信する。第３の送信部２０７は、この予め決められた要求を受信すると、検出部２６により操作装置２０がクレイドル３０に装着されたことが検出されている場合には、操作装置２０を識別する識別情報を本体装置１０に送信する。許可部１０３は、第３の送信部２０７により送信された識別情報により識別される操作装置２０との通信を許可する。
【００２２】
操作装置２０を最初に利用するときや本体装置１０を交換したときには、ペアリング処理を行って、本体装置１０と操作装置２０とを対応付ける必要がある。図８は、ペアリング処理を示すシーケンス図である。ステップＳ１１において、本体装置１０の制御部１１は、無線通信部１３によりペアリング要求（予め決められた要求の一例）を送信する。操作装置２０の制御部２１は、無線通信部２３によりこのペアリング要求を受信する。
【００２３】
ステップＳ１２において、制御部２１は、操作装置２０がクレイドル３０に装着されているか否かを判断する。検出部２６により操作装置２０がクレイドル３０に装着されたことが検出されている場合、制御部２１は、操作装置２０がクレイドル３０に装着されていると判断する。一方、検出部２６により操作装置２０がクレイドル３０から取り外されたことが検出されている場合、制御部２１は、操作装置２０がクレイドル３０に装着されていないと判断する。
【００２４】
操作装置２０がクレイドル３０に装着されている場合（ステップＳ１２：ＹＥＳ）、制御部２１は、ステップＳ１３に進む。ステップＳ１３において、制御部２１は、予め操作装置２０に割り当てられたＩＰアドレスを通信部２２により本体装置１０に送信する。本体装置１０の制御部１１は、通信部１２によりこのＩＰアドレスを受信する。一方、操作装置２０がクレイドル３０に装着されていない場合（ステップＳ１２：ＮＯ）、制御部２１は、ステップＳ１３のＩＰアドレスの送信を行わずに、ペアリング処理を終了する。
【００２５】
ステップＳ１４において、制御部１１は、受信したＩＰアドレスを用いてペアリングを行う。例えば、制御部１１は、通信部１２により、受信したＩＰアドレス宛てにコマンドを送信する。操作装置２０からこのコマンドに対する返信が送られてくると、制御部１１は、受信したＩＰアドレスに対する通信を許可する。これにより、本体装置１０とペアリングを行った操作装置２０との間でデータのやり取りが可能となる。
【００２６】
ステップＳ１５において、制御部１１は、通信部１２により、受信したＩＰアドレス宛てに本体装置１０の機種を表す機種情報を送信する。なお、この機種情報は、例えば予めメモリに記憶されている。操作装置２０の制御部２１は、この機種情報を通信部２２により受信する。ステップＳ１６において、制御部１１は、受信した機種情報を記憶部２４に記憶させる。
【００２７】
図９は、操作装置２０の画面表示動作を示すフローチャートである。この動作は、例えば予め決められた間隔で行われる。ステップＳ２１において、制御部２１は、操作装置２０がクレイドル３０に装着されているか否かを判断する。この判断は、上述したステップＳ１２と同じ方法で行われる。操作装置２０がクレイドル３０に装着されていない場合（ステップＳ２１：ＮＯ）、制御部２１は、ステップＳ２２に進む。ステップＳ２２において、制御部２１は、記憶部２４に記憶された選曲画像データ４２に基づき、選曲画面５０を表示操作部２５に表示させる。つまり、制御部２１は、利用者により操作装置２０がクレイドル３０から取り外され、この取り外されたことが検出部２６により検出された場合に、選択画面５０を表示操作部２５に表示させる。利用者は、この選曲画面５０に基づいて、カラオケの楽曲を選択する操作を行う。
【００２８】
例えば、図５に示す選曲画面５０ａが表示操作部２５に表示された場合において、「あ○△」という歌手の「○▽○」という楽曲を選択する場合を想定する。この場合、利用者は、まず選曲画面５０ａに表示された項目「歌手名別」を選択する。項目「歌手名別」が選択されると、表示操作部２５には、選曲画面５０ｂが表示される。続いて、利用者は、選曲画面５０ｂに表示された歌手名「あ○△」を選択する。歌手名「あ○△」が選択されると、表示操作部２５には、選曲画面５０ｃが表示される。続いて、利用者は、選曲画面５０ｃに表示された曲名「○▽○」を選択する。これにより、「○▽○」という楽曲が選択される。表示操作部２５は、選曲画面５０上で行われた楽曲を選択する操作（第１の操作の一例）を受け付け、この操作を表す第１の操作情報を制御部２１に供給する。この第１の操作情報には、利用者により選択された楽曲を識別する識別情報が含まれる。この識別情報は、例えば選択された楽曲に割り当てられた曲番号である。
【００２９】
ステップＳ２３において、制御部２１は、表示操作部２５から供給された第１の操作情報を無線通信部２３により本体装置１０に送信する。本体装置１０の制御部１１は、無線通信部１３によりこの第１の操作情報を受信する。第１の操作情報を受信すると、制御部１１は、この第１の操作情報に含まれる識別情報により識別される楽曲を特定し、特定した楽曲をスピーカ１８から出力させる処理を行う。具体的には、制御部１１は、特定した楽曲を表す楽曲データ４１を記憶部１４から読み出し、読み出した楽曲データ４１を音源部１５で再生させる。これにより、スピーカ１８から利用者により選択された楽曲が出力される。
【００３０】
一方、操作装置２０がクレイドル３０に装着されている場合（ステップＳ２１：ＹＥＳ）、制御部２１は、ステップＳ２４に進む。ステップＳ２４において、制御部２１は、ステップＳ１６において記憶部２４に記憶された機種情報を読み出す。続いて、制御部２１は、記憶部２４に記憶された本体画像データ４３から、読み出した機種情報と対応付けて記憶された本体画像データ４３を選択する。例えば、ステップＳ１６において、機種「Ａ００１」を表す機種情報が記憶部２４に記憶された場合には、この機種「Ａ００１」を表す機種情報に対応付けて記憶された本体画像データ４３が選択される。ステップＳ２５において、制御部２１は、ステップＳ２４で選択された本体画像データ４３が表す本体画面６０ａを表示操作部２５に表示させる。利用者は、この本体画面６０ａに基づく操作（第２の操作の一例）を行う。
【００３１】
例えば、図６に示す本体画面６０ａが表示操作部２５に表示された場合において、マイクロフォン１６の音量を調整する場合を想定する。この場合、利用者は、この本体画面６０ａ上に表示された操作ボタン６１ａを用いてマイクロフォン１６の音量を調節する。この操作ボタン６１ａは、内周を時計回りになぞるとマイクロフォン１６の音量が大きくなり、内周を反時計回りになぞるとマイクロフォン１６の音量が小さくなる。また、この操作ボタン６１ａは、操作量が大きいほど音量の調節量が大きくなる。表示操作部２５は、本体画面６０ａ上で行われたマイクロフォン１６の音量を調整する操作（第２の操作の一例）を受け付け、この操作を表す第２の操作情報を制御部２１に供給する。この第２の操作情報には、操作ボタン６１ａの操作方向及び操作量を示す情報が含まれる。
【００３２】
ステップＳ２６において、制御部２１は、表示操作部２５から供給された第２の操作情報を通信部２２により本体装置１０に送信する。本体装置１０の制御部１１は、通信部１２によりこの第２の操作情報を受信する。第２の操作情報を受信すると、制御部１１は、受信した第２の操作情報が表す操作に応じた処理を行う。例えば、第２の操作情報に操作ボタン６１ａの操作方向及び操作量を示す情報が含まれている場合、制御部１１は、この操作方向及び操作量に基づいて、マイクロフォン１６の音量を調整する処理を行う。具体的には、制御部１１は、操作方向が時計回りである場合には、マイクロフォン１６から供給された電気信号のレベルが大きくなるように、音声処理部１７を制御する。一方、操作方向が反時計回りである場合には、制御部１１は、マイクロフォン１６から供給された電気信号のレベルが小さくなるように、音声処理部１７を制御する。また、制御部１１は、操作量が大きいほどマイクロフォン１６から供給された電気信号のレベルの変化量が大きくなるように、音声処理部１７を制御する。これにより、マイクロフォン１６の音量が調整される。
【００３３】
上述した実施形態によれば、操作装置２０は、クレイドル３０から取り外されている間は選曲画面５０を表示し、クレイドル３０に装着されると本体画面６０を表示する。そのため、利用者は、操作装置２０がクレイドル３０に装着されているときは、本体画面６０に基づく操作を行うことができる。これにより、本体画面６０を表示するための表示部や本体画面６０に基づく操作を受け付ける受付部を、本体装置１０に別途設ける必要がない。また、操作装置２０には、本体装置１０の機種に合わせて作成された本体画面６０が表示される。したがって、本体装置１０が別の機種のものに交換された場合にも、操作装置２０に表示される本体画面６０は、交換された後の機種の本体装置１０に合ったものとなる。
【００３４】
また、従来のペアリング処理では、作業者が、本体装置１０の識別番号などの情報を操作装置２０に入力する必要があった。しかしながら、上述した実施形態によれば、作業者は、ペアリング処理を行うときにこのような入力操作を行う必要はない。作業者は、ペアリングする操作装置２０をクレイドル３０に装着するだけでよい。よって、ペアリング処理を容易に行うことができる。
【００３５】
［変形例］
本発明は、上述した実施形態に限定されるものではなく、変形して実施されてもよい。以下、変形例をいくつか説明する。また、以下の変形例は、それぞれ組み合わせて実施されてもよい。
【００３６】
（変形例１）
本体画像データ４３は、本体装置１０又はその他のサーバ装置から取得されてもよい。例えば、操作装置２０の制御部２１は、新たな機種の本体装置１０とペアリングが行われると、その機種に対応する本体画像データ４３を本体装置１０から取得し、記憶部２４に記憶させる。また、１の本体装置１０に対して複数の操作装置２０がペアリングされている場合には、複数の操作装置２０のいずれかが新たな本体画像データ４３を取得した場合、この操作装置２０により、取得された本体画像データ４３が他の操作装置２０に転送されてもよい。
【００３７】
（変形例２）
ステップＳ２５で表示される画面は、本体画面６０に限らない。例えば、本体画面６０に代えて、本体装置１０のメンテナンスに用いられるメンテナンス画面７０が表示されてもよい。この場合、記憶部２４には、このメンテナンス画面７０を表す画像データが記憶される。図１０は、メンテナンス画面７０の一例を示す図である。このメンテナンス画面７０には、本体装置１０のメンテナンスを行うときに用いられる操作ボタン７１が設けられている。メンテナンスを行う作業者は、このメンテナンス画面７０上に表示された操作ボタン７１を用いて、本体装置１０のメンテナンスを行う。
【００３８】
（変形例３）
操作装置２０がクレイドル３０に装着されたことを検出する方法は、実施形態で説明した方法に限らない。例えば、検出部２６は、ジャイロセンサを利用して、操作装置２０がクレイドル３０に装着されたことを検出してもよい。ジャイロセンサは、操作装置２０の角度を測定する。制御部２１は、ジャイロセンサにより測定された角度が垂直に近い場合には、操作装置２０がクレイドル３０に装着されていると判断する。これは、図２に示すように、クレイドル３０に装着されている場合には、操作装置２０の角度は垂直に近い角度になるからである。一方、ジャイロセンサにより測定された角度が水平に近い場合には、制御部２１は、操作装置２０がクレイドル３０に装着されていないと判断する。これは、操作装置２０は、クレイドル３０に装着されていない場合には、表示操作部２５を上に向けた状態で机などの水平なものの上に置かれて使用されるからである。
【００３９】
（変形例４）
本体画面６０に表示される内容は、図６に示すものに限らない。例えば、本体画面６０には、楽曲の音程やテンポを調整するための操作ボタンや、エコーなどの音響効果を調整するための操作ボタンが設けられていてもよい。また、本体画面６０は、本体装置１０の各機種の機能に合わせて作成されたものであってもよい。例えば、機種「Ａ００２」の本体装置１０は、ある音響効果を付加する機能を有しているが、機種「Ａ００１」の本体装置１０は、その音響効果を付加する機能を有していない場合がある。この場合、機種「Ａ００２」に対応する本体画面６０ｂには、この音響効果を調整するときに用いられる操作ボタンが設けられるが、機種「Ａ００１」に対応する本体画面６０ａには、このような操作ボタンは設けられなくてもよい。要するに、本体画面６０は、本体装置１０に対応するものであればよい。
【００４０】
（変形例５）
実施形態では、利用者によりクレイドル３０を取り外す操作が行われたことを契機として選曲画面５０が表示されていた。しかしながら、選曲画面５０が表示される契機はこれに限らない。例えば、選曲画面５０は、利用者が表示操作部２５を用いて選曲画面５０の表示を指示する操作を行ったときに表示されてもよい。なお、この場合、操作装置２０がクレイドル３０から取り外されたときに、表示操作部２５には、本体画面６０が表示され続けてもよいし、その他の画像が表示されてもよい。
【００４１】
（変形例６）
充電部１９は、非接触で充電を行ってもよい。この非接触の充電の方式としては、例えばコイルからコイルへ電力を給電する電磁誘導型であってもよいし、電波受信型や共鳴型などの方式であってもよい。
【００４２】
（変形例７）
操作装置２０は、表示操作部２５に代えて、画像を表示する表示部とこの画像に基づく操作を受け付ける受付部とを別々に備えてもよい。表示部は、例えば液晶ディスプレイである。受付部は、例えばハードボタン（機械式ボタン）である。
【００４３】
（変形例８）
ステップＳ１３において送信される情報はＩＰアドレスに限らない。ステップＳ１３では、操作装置２０を識別する識別情報が送信されればよい。
【００４４】
（変形例９）
検出部２６は、本体装置１０に設けられていてもよい。この場合、本体装置１０の制御部１１は、検出部２６の検出結果を操作装置２０に送信する。操作装置２０の制御部２１は、本体装置１０から送られてきた検出結果に基づいて、操作装置２０がクレイドル３０に装着されているか否かを判断する。また、検出部２６は、本体装置１０と操作装置２０との両方に設けられていてもよい。
【００４５】
（変形例１０）
選曲画像データ４２及び本体画像データ４３は、本体装置１０の記憶部１４に記憶されていてもよい。この場合、操作装置２０は、表示操作部２５に表示する画面を表す画像データを本体装置１０に要求する。本体装置１０の制御部１１は、この要求に応じて記憶部１４に記憶された画像データを操作装置２０に送信する。また、この場合、本体装置１０の記憶部１４には、操作装置２０の各機種を表す機種情報と、この機種に合わせて作成された選曲画面５０を表す選曲画像データ４２が記憶されていてもよい。このとき、本体装置１０の制御部１１は、ペアリングを行った操作装置４０の機種を表す機種情報を取得し、取得した機種情報と対応付けて記憶された選曲画像データ４２を操作装置２０に送信する。
【００４６】
（変形例１１）
実施形態では、操作装置２０は、ペアリング処理において本体装置１０の機種情報を取得していた。しかしながら、操作装置２０は、ペアリング処理とは別のタイミングで、本体装置１０の機種情報を取得してもよい。この場合、操作装置２０の制御部２１は、本体装置１０に機種情報を要求する。本体装置１０の制御部１１は、この要求に応じて本体装置１０の機種を表す機種情報を操作装置２０に送信する。
【００４７】
（変形例１２）
制御部１１又は制御部２１の機能を実現するプログラムは、磁気媒体（磁気テープ、磁気ディスク（ＨＤＤ（Hard Disk Drive）、ＦＤ（Flexible Disk））など）、光媒体（光ディスク（ＣＤ（Compact Disc）、ＤＶＤ（Digital Versatile Disk））など）、光磁気媒体、半導体メモリなどのコンピュータ読み取り可能な媒体に記憶した状態で提供し、本体装置１０又は操作装置２０にインストールしてもよい。また、インターネット等の通信回線を介してダウンロードしてインストールしてもよい。
【符号の説明】
【００４８】
１…カラオケ装置、１０…本体装置、１１…制御部、１２…通信部、１３…無線通信部、１４…記憶部、１５…音源部、１６…マイクロフォン、１７…音声処理部、１８…スピーカ、１９…充電部、２０…操作装置、２１…制御部、２２…通信部、２３…無線通信部、２４…記憶部、２５…表示操作部、２６…検出部、２７…電源部、３０…クレイドル
【図１】
0005720390.tif 000002
【図２】
0005720390.tif 000003
【図３】
0005720390.tif 000004
【図４】
0005720390.tif 000005
【図５】
0005720390.tif 000006
【図６】
0005720390.tif 000007
【図７】
0005720390.tif 000008
【図８】
0005720390.tif 000009
【図９】
0005720390.tif 000010
【図１０】
0005720390.tif 000011